(57)【特許請求の範囲】
【請求項１】
被撮影者の顔を撮影して画像データを生成する撮像部と、
前記被撮影者を識別する識別情報が入力される入力部と、
前記画像データにおける前記被撮影者の目を含む所定領域及び前記目の位置を検出する検出部と、
前記画像データの表示及び前記所定領域の拡大表示を行い、前記拡大表示した前記所定領域における前記検出部が検出した目の位置にマーカを表示し、前記マーカの表示位置を示す座標を算出する表示部と、
前記マーカの表示位置の変更指示を受け付ける指示受付部と、
前記画像データ及び前記識別情報を用いてＩＤカードを作成する作成部と、
を備えるＩＤカード作成装置。
【請求項２】
前記画像データ及び前記座標を用いて、前記被撮影者の顔の特徴量を算出する算出部と、
複数の人についての前記特徴量及び前記識別情報の組み合わせを記憶する記憶部と、
前記入力部から入力された識別情報と同じ識別情報と組み合わせられている特徴量を前記記憶部から抽出する抽出部と、
前記算出部が算出した特徴量と、前記抽出部が抽出した特徴量との類似度を算出し、前記類似度が所定値以上の場合に、前記被撮影者と、前記抽出部が抽出した特徴量に対応する人とが同一人物であると判定する判定部と、
前記判定部が、前記被撮影者と、前記抽出部が抽出した特徴量に対応する人とが同一人物であると判定した場合に、前記作成部に対して前記ＩＤカードの作成の許可を与える管理部と、
をさらに備えることを特徴とする請求項１に記載のＩＤカード作成装置。
【請求項３】
前記判定部が前記被撮影者と、前記抽出部が抽出した特徴量に対応する人とが同一人物であると判定した場合に、前記算出部が算出した特徴量を、前記入力部から入力された識別情報と組み合わせて前記記憶部に格納し、前記記憶部の記憶データを更新する更新部をさらに備えることを特徴とする請求項２に記載のＩＤカード作成装置。
【請求項４】
前記表示部は、前記画像データの表示と、前記所定領域の拡大表示とを切り替えて行うことを特徴とする請求項１乃至３のいずれかに記載のＩＤカード作成装置。
【請求項５】
前記表示部及び前記指示受付部の少なくとも一部は、タッチパネルで構成されることを特徴とする請求項１乃至４のいずれかに記載のＩＤカード作成装置。
【請求項６】
請求項１に記載のＩＤカード作成装置を用いたＩＤカード作成方法であって、
被撮影者を識別する識別情報が前記入力部を介して入力される工程と、
前記被撮影者の顔を前記撮像部により撮影して画像データを生成する工程と、
前記画像データにおける前記被撮影者の目を含む所定領域及び前記目の位置を前記検出部により検出する工程と、
前記表示部により、前記画像データを表示する工程と、
前記表示部により、前記所定領域の拡大表示を行うと共に、拡大表示した前記所定領域において、前記検出した目の位置にマーカを表示する工程と、
前記指示受付部により、前記マーカの表示位置の変更指示を受け付ける工程と、
前記表示部により、前記変更指示を受け付けた後に、前記マーカの表示位置を示す座標を求める工程と、
前記作成部により、前記画像データ及び前記識別情報を用いてＩＤカードを作成する工程と、
を備えるＩＤカード作成方法。
【請求項７】
前記ＩＤカード作成装置は、前記画像データ及び前記座標を用いて、前記被撮影者の顔の特徴量を算出する算出部と、複数の人についての前記特徴量及び前記識別情報の組み合わせを記憶する記憶部と、前記入力部から入力された識別情報と同じ識別情報と組み合わせられている特徴量を前記記憶部から抽出する抽出部と、前記算出部が算出した特徴量と、前記抽出部が抽出した特徴量との類似度を算出し、前記類似度が所定値以上の場合に、前記被撮影者と、前記抽出部が抽出した特徴量に対応する人とが同一人物であると判定する判定部と、前記判定部が、前記被撮影者と、前記抽出部が抽出した特徴量に対応する人とが同一人物であると判定した場合に、前記作成部に対して前記ＩＤカードの作成の許可を与える管理部と、をさらに備え、
前記ＩＤカード作成方法は、
前記ＩＤカードを作成する工程の前に、
前記算出部により、前記画像データ及び前記座標を用いて、前記被撮影者の顔の特徴量を算出する工程と、
前記抽出部により、複数の人についての前記特徴量及び前記識別情報の組み合わせを記憶する前記記憶部から、前記入力された識別情報と同じ識別情報と組み合わせられている特徴量を抽出する工程と、
前記判定部により、前記算出した特徴量と、前記抽出した特徴量との類似度を算出する工程と、
をさらに備え、
前記類似度が所定値以上の場合に、前記作成部により、前記ＩＤカードを作成することを特徴とする請求項６に記載のＩＤカード作成方法。
【請求項８】
前記ＩＤカード作成装置は、前記判定部が前記被撮影者と、前記抽出部が抽出した特徴量に対応する人とが同一人物であると判定した場合に、前記算出部が算出した特徴量を、前記入力部から入力された識別情報と組み合わせて前記記憶部に格納し、前記記憶部の記憶データを更新する更新部をさらに備え、
前記類似度が前記所定値以上の場合に、前記更新部は、前記算出した特徴量と、前記入力された識別情報とを組み合わせて前記記憶部に格納し、前記記憶部の記憶データを更新する工程をさらに備えることを特徴とする請求項７に記載のＩＤカード作成方法。
【発明の詳細な説明】
【技術分野】
【０００１】
本発明は、顔画像が印刷されたＩＤカードを作成するＩＤカード作成装置及び作成方法に関する。
【背景技術】
【０００２】
免許証などのＩＤカード（Identification Card）には、ＩＤカード所有者の顔画像が印刷されている場合がある。この顔画像は、ＩＤカード所有者の顔をデジタルカメラやビデオカメラで撮影して取得されることが多い。ＩＤカードに印刷される顔画像は本人確認に使用されることから、ＩＤカード作成時には、撮影した顔画像における被撮影者の開眼状態を確認し、目をつぶっていた場合は再度撮影する必要がある。例えば、撮影した顔画像をモニタに表示し、目つぶりが発見されたときには再度撮影を行い、所望の顔画像データが得られるまで撮影を繰り返すシステムが提案されている（例えば特許文献１参照）。
【０００３】
しかし、従来のシステムでは、バストショットされた画像がモニタに表示されるため、目の部分の表示が小さくなり、開眼状態を目視確認することが困難であった。撮影された顔画像の開眼状態を自動判定する手法も提案されているが、目の位置が正しく検出されているか操作者には分からず、開眼状態が正しく判定されていないおそれがあった。
【０００４】
また、本人確認を行う顔認証ソフトでは、顔画像の特徴量として、目の位置は重要なパラメータとなる。顔認証ソフトの認証精度を向上させるためには、目の位置の正確な情報が求められる。
【先行技術文献】
【特許文献】
【０００５】
【特許文献１】特開２００３−１９８５号公報
【発明の概要】
【発明が解決しようとする課題】
【０００６】
本発明は、被撮影者の顔画像の開眼状態が目視確認しやすく、目つぶり画像が印刷されたＩＤカードを作成することを防止すると共に、顔画像における目の位置の正確な情報を取得できるＩＤカード作成装置及び作成方法を提供することを目的とする。
【課題を解決するための手段】
【０００７】
本発明によるＩＤカード作成装置は、被撮影者の顔を撮影して画像データを生成する撮像部と、前記被撮影者を識別する識別情報が入力される入力部と、前記画像データにおける前記被撮影者の目を含む所定領域及び前記目の位置を検出する検出部と、前記画像データの表示及び前記所定領域の拡大表示を行い、前記拡大表示した前記所定領域における前記検出部が検出した目の位置にマーカを表示し、前記マーカの表示位置を示す座標を算出する表示部と、前記マーカの表示位置の変更指示を受け付ける指示受付部と、前記画像データ及び前記識別情報を用いてＩＤカードを作成する作成部と、を備える。
【０００８】
本発明によるＩＤカード作成装置においては、前記画像データ及び前記座標を用いて、前記被撮影者の顔の特徴量を算出する算出部と、複数の人についての前記特徴量及び前記識別情報の組み合わせを記憶する記憶部と、前記入力部から入力された識別情報と同じ識別情報と組み合わせられている特徴量を前記記憶部から抽出する抽出部と、前記算出部が算出した特徴量と、前記抽出部が抽出した特徴量との類似度を算出し、前記類似度が所定値以上の場合に、前記被撮影者と、前記抽出部が抽出した特徴量に対応する人とが同一人物であると判定する判定部と、前記判定部が、前記被撮影者と、前記抽出部が抽出した特徴量に対応する人とが同一人物であると判定した場合に、前記作成部に対して前記ＩＤカードの作成の許可を与える管理部と、をさらに備えることが好ましい。
【０００９】
本発明によるＩＤカード作成装置においては、前記判定部が前記被撮影者と、前記抽出部が抽出した特徴量に対応する人とが同一人物であると判定した場合に、前記算出部が算出した特徴量を、前記入力部から入力された識別情報と組み合わせて前記記憶部に格納し、前記記憶部の記憶データを更新する更新部をさらに備えることが好ましい。
【００１０】
本発明によるＩＤカード作成装置においては、前記表示部は、前記画像データの表示と、前記所定領域の拡大表示とを切り替えて行うことが好ましい。
【００１１】
本発明によるＩＤカード作成装置においては、前記表示部及び前記指示受付部の少なくとも一部は、タッチパネルで構成されることが好ましい。
【００１２】
本発明によるＩＤカード作成方法は、被撮影者を識別する識別情報が入力される工程と、前記被撮影者の顔を撮影して画像データを生成する工程と、前記画像データにおける前記被撮影者の目を含む所定領域及び前記目の位置を検出する工程と、前記画像データを表示する工程と、前記所定領域の拡大表示を行うと共に、拡大表示した前記所定領域において、前記検出した目の位置にマーカを表示する工程と、前記マーカの表示位置の変更指示を受け付ける工程と、前記変更指示を受け付けた後に、前記マーカの表示位置を示す座標を求める工程と、前記画像データ及び前記識別情報を用いてＩＤカードを作成する工程と、を備える。
【００１３】
本発明によるＩＤカード作成方法においては、前記ＩＤカードを作成する工程の前に、前記画像データ及び前記座標を用いて、前記被撮影者の顔の特徴量を算出する工程と、複数の人についての前記特徴量及び前記識別情報の組み合わせを記憶する記憶部から、前記入力された識別情報と同じ識別情報と組み合わせられている特徴量を抽出する工程と、前記算出した特徴量と、前記抽出した特徴量との類似度を算出する工程と、をさらに備え、前記類似度が所定値以上の場合に、前記ＩＤカードを作成することが好ましい。
【００１４】
本発明によるＩＤカード作成方法においては、前記類似度が前記所定値以上の場合に、前記算出した特徴量と、前記入力された識別情報とを組み合わせて前記記憶部に格納し、前記記憶部の記憶データを更新する工程をさらに備えることが好ましい。
【発明の効果】
【００１５】
本発明によれば、被撮影者の顔画像の目の部分を拡大表示しているので、開眼状態を目視確認しやすく、目つぶり画像が印刷されたＩＤカードを作成することを防止することができる。また、顔画像の目の部分を拡大表示する際に、検出された目の位置をマーカ表示し、オペレータがマーカの位置を修正できる。オペレータにより修正されたマーカの位置から、被撮影者の目の位置の正確な情報を取得することができる。
【図面の簡単な説明】
【００１６】
【図１】本発明の実施形態に係るＩＤカード作成装置の概略構成図である。
【図２】表示部による画像の表示形式の一例を示す図である。
【図３】同実施形態に係るＩＤカード作成方法を説明するフローチャートである。
【発明を実施するための形態】
【００１７】
本発明の実施の形態
以下、本発明の実施の形態を図面に基づいて説明する。
【００１８】
図１に本発明の実施形態に係るＩＤカード作成装置の概略構成を示す。ＩＤカード作成装置１は、被撮影者を識別する識別情報が入力される入力部１０１と、被撮影者の顔を撮影して画像データを生成する撮像部１０２と、画像データにおける被撮影者の目を含む所定領域及び目の位置を検出する検出部１０３と、画像データ及びマーカを表示する表示部１０４と、マーカの表示位置の変更指示を受け付ける指示受付部１０５と、識別情報、画像データ、及びマーカの表示位置についての情報の転送制御を行う制御部１１０と、画像データ及び識別情報を用いてＩＤカードを作成する作成部１４０と、を備えている。
【００１９】
また、このＩＤカード作成装置１には、複数の人についての顔の特徴量を記憶する記憶部１３０と、被撮影者の顔の特徴量を算出する算出部１２１と、記憶部１３０から特徴量を抽出する抽出部１２２と、算出された特徴量と抽出された特徴量との類似度に基づいて本人確認を行う判定部１２３と、記憶部１３０の記憶データを更新する更新部１２４と、作成部１４０にＩＤカード作成許可を与える管理部１２５とが接続されている。
【００２０】
そして、このような構成からなるＩＤカード作成装置１は、被撮影者１０の顔画像が印刷されたＩＤカードを作成するものである。ここで、ＩＤカードは、例えば、自動車運転免許証等の免許証類、キャッシュカード、クレジットカード、社員証、会員証、身分証明書、医療カードなどである。
【００２１】
入力部１０１は、ＩＤカードの発行を申請する被撮影者１０を識別する識別情報が入力される。入力部１０１は、例えばマウスやキーボード等で構成することができる。
【００２２】
入力部１０１に入力される識別情報は、例えば被撮影者１０の氏名や個人識別番号を含む。また、識別情報は、被撮影者１０の住所や生年月日等を含んでもよい。入力部１０１は、入力された識別情報を制御部１１０に通知する。
【００２３】
また、撮像部１０２は、被撮影者１０の顔を含む上半身の少なくとも一部を撮影する。撮像部１０２は、例えばデジタルカメラやビデオカメラであり、レッドＲ、グリーンＧ、ブルーＢの３色カラーフィルタＣＣＤを用いる。撮像部１０２は、オペレータが操作部（図示せず）を操作することで、撮影を行う。撮像部１０２が被撮影者１０を撮影した画像データは、検出部１０３、表示部１０４、及び制御部１１０へ出力される。
【００２４】
検出部１０３は、公知の手法を用いて、撮像部１０２から受け取った画像データから、被撮影者１０の目の位置を検出する。
【００２５】
例えば、検出部１０３は、カラー多値画素データである画像データをグレースケール画素データに変換し、各画素の濃度値を算出する。次に、検出部１０３は、所定の閾値以下の濃度値を持つ黒画素の個数を、画像の水平方向にカウントする。このカウント値を垂直方向にみると、眉、目、鼻孔、口に相当する領域でカウント値は大きくなる。従って、カウント値が大きくなる４つの領域のうち、画像の垂直方向に上から２番目が目に対応する。このような特徴を利用して、検出部１０３は、目の位置を検出することができる。
【００２６】
また、検出部１０３は、予め目尻や目頭などの画像をテンプレートとして保存しておき、テンプレートマッチングにより目の位置を検出することもできる。
【００２７】
さらに、検出部１０３は、検出した目の位置を中央部分に含む所定サイズの矩形領域を設定する。そして、検出部１０３は、検出した目の位置（画像中の座標）と、この矩形領域の頂点位置（画像中の座標）とを表示部１０４に通知する。
【００２８】
表示部１０４は、撮像部１０２から受け取った画像データを表示する。また、表示部１０４は、撮像部１０２から受け取った画像データのうち、検出部１０３から通知された頂点位置に囲まれる矩形領域に対応する部分の画像を拡大表示する。さらに、表示部１０４は、拡大表示した矩形領域の画像中の、検出部１０３から通知された目の位置にマーカを重ねて表示する。
【００２９】
図２（ａ）〜（ｄ）に、表示部１０４が表示する画像の一例を示す。図２（ａ）に示すように、表示部１０４は、撮像部１０２が撮影した被撮影者１０の画像２０１と、被撮影者１０の目を中心とした矩形領域の拡大画像２０２と、目の位置を示すマーカ２０３とを表示する。目を中心とした矩形領域の拡大画像が表示部１０４に表示されるため、オペレータは、被撮影者１０の開眼状態を容易に視認することができる。例えば、オペレータは、図２（ｂ）に示すように、被撮影者１０が目を瞑っていた状態であることを、拡大画像２０２から、容易に視認することができる。
【００３０】
指示受付部１０５は、表示部１０４に表示されている拡大画像２０２中のマーカ２０３の表示位置の変更（修正）指示を、オペレータから受け付ける。オペレータは、表示部１０４に拡大表示された画像２０２中のマーカ２０３の表示位置を視認し、マーカ２０３の表示位置と被撮影者１０の目の位置がずれている場合は、指示受付部１０５を介して、マーカ２０３の表示位置を正しい位置に修正することができる。
【００３１】
例えば、図２（ｃ）に示すように、マーカ２０３の表示位置と被撮影者１０の目の位置がずれている場合、オペレータは、指示受付部１０５を介して、図２（ｄ）に示すように、マーカ２０３の表示位置を正しい位置（被撮影者１０の目の位置）に変更することができる。
【００３２】
ところで、表示部１０４及び指示受付部１０５の少なくとも一部は、例えばタッチパネルにより構成することができる。タッチパネルの場合、オペレータはマーカ２０３に触れ、マーカ２０３の位置を簡単に移動させることができる。また、表示部１０４を液晶ディスプレイ、指示受付部１０５をマウスで構成し、ドラッグアンドドロップによりマーカ２０３の位置を移動させてもよい。
【００３３】
表示部１０４は、指示受付部１０５を介して、オペレータから、マーカ２０３の表示位置を確認したことを受け付けると、画像データにおけるマーカ２０３の表示位置を示す座標を制御部１１０に通知する。このことにより、制御部１１０は、画像データにおける被撮影者１０の目の正確な位置（座標）を取得することができる。
【００３４】
制御部１１０は、撮像部１０２から受け取った画像データと、表示部１０４から通知された被撮影者１０の目の位置と、入力部１０１から通知された被撮影者１０の識別情報とを算出部１２１へ出力する。また、制御部１１０は、入力部１０１から通知された被撮影者１０の識別情報を抽出部１２２へ出力する。さらに、制御部１１０は、撮像部１０２から受け取った画像データを作成部１４０へ出力する。
【００３５】
算出部１２１は、制御部１１０から受け取った画像データ及び被撮影者１０の目の位置を用いて、被撮影者１０の顔の特徴量を算出する。顔の特徴量は、例えば、目の位置、目と鼻、口、耳、眉等との相互の位置関係、顔の輪郭、目、鼻、口、耳、眉等の形状である。顔の特徴量は公知の手法で算出することができる。
【００３６】
そして、算出部１２１は、算出した被撮影者１０の顔の特徴量を判定部１２３へ出力する。また、算出部１２１は、被撮影者１０の識別情報及び算出した被撮影者１０の顔の特徴量を更新部１２４へ出力する。
【００３７】
記憶部１３０は、複数の人間についての顔の特徴量と識別情報との組み合わせを記憶しており、例えばハードディスクで構成される。例えば、記憶部１３０は、過去にＩＤカードを作成するために撮影された人間の顔の特徴量と、その人の識別情報とを組み合わせて記憶している。
【００３８】
抽出部１２２は、記憶部１３０を検索し、制御部１１０から受け取った識別情報（被撮影者１０の識別情報）と同じ識別情報と組み合わされている特徴量を抽出する。抽出部１２２は、抽出した特徴量を判定部１２３へ出力する。抽出部１２２は、制御部１１０から受け取った識別情報と同じ識別情報が記憶部１３０に記憶されていない場合は、抽出する特徴量が無い旨を判定部１２３に通知する。
【００３９】
判定部１２３は、算出部１２１から受け取った被撮影者１０の顔の特徴量と、抽出部１２２が記憶部１３０から抽出した特徴量とを比較して類似度を算出する。例えば、類似度は、特徴量の標準ユークリッド距離から算出できる。判定部１２３は、算出した類似度が所定の閾値以上である場合には、一致すると判定する。一方、判定部１２３は、算出した類似度が所定の閾値未満である場合には、不一致と判定する。
【００４０】
従って、被撮影者１０が、過去にＩＤカードを作成したことのある本人であるか否かについて、判定することができる。
【００４１】
また、判定部１２３は、抽出部１２２から、抽出する特徴量が無い旨を通知された場合、判定を行わない。従って、判定部１２３による判定結果は、一致、不一致、未判定のいずれかとなる。判定部１２３は、判定結果を更新部１２４及び管理部１２５に通知する。
【００４２】
更新部１２４は、判定部１２３の判定結果が“一致”である場合、算出部１２１から受け取った被撮影者１０の顔の特徴量を、記憶部１３０に記憶されているこの被撮影者１０の特徴量に上書き又は追加書き込みし、データを更新する。
【００４３】
また、更新部１２４は、判定部１２３の判定結果が“未判定”である場合、算出部１２１から受け取った被撮影者１０の顔の特徴量と識別情報とを組み合わせて、新たに記憶部１３０に書き込む。
【００４４】
このことにより、記憶部１３０は、被撮影者１０の顔の特徴量について、最新の情報を記憶することができる。
【００４５】
管理部１２５は、判定部１２３の判定結果に基づいて、ＩＤカードの発行（作成）の許否を決定し、作成部１４０に通知する。例えば、管理部１２５は、判定部１２３の判定結果が“一致”である場合、作成部１４０に対し、ＩＤカードの作成を許可する。一方、判定部１２３の判定結果が“不一致”である場合、管理部１２５は、作成部１４０に対し、ＩＤカードの作成を許可しない。
【００４６】
判定部１２３の判定結果が“未判定”である場合、管理部１２５は、作成部１４０に対してＩＤカードの作成を許可してもよいし、オペレータにＩＤカード作成の許否の判断を委ねてもよい。
【００４７】
作成部１４０は、管理部１２５によりＩＤカードの作成が許可されると、制御部１１０から受け取った画像データを用いてＩＤカードを作成する。例えば、作成部１４０は、ＩＤカードのカード材料が収納されているカードカセットと、イエローＹ、マゼンタＭ、シアンＣ、ブラックＢの各色のプリント部と、紫外線硬化樹脂の塗布部と、紫外線照射部とを備える。
【００４８】
作成部１４０は、被撮影者１０の顔画像をカラープリントするために、レッドＲ、グリーンＧ、ブルーＢの３原色信号の画像データを、イエローＹ、マゼンタＭ、シアンＣの濃度情報に変換する。そして、作成部１４０は、カードカセットからカード材料を１枚取り出し、イエローＹ、マゼンタＭ、シアンＣを順次プリントし、各色を重ねることで、被撮影者１０の顔画像をカラープリントする。さらに、作成部１０４は、被撮影者１０の住所、氏名等の文字情報をブラックＢでプリントする。
【００４９】
そして、作成部１４０は、カード材料に紫外線硬化樹脂を塗布した後、紫外線を照射して樹脂を硬化させ、ＩＤカードを作成する。作成部１４０は、ＩＤカードのホットスタンプ加工（箔押し）を施すようにしてもよい。
【００５０】
次に、ＩＤカード作成装置１を用いたＩＤカード作成方法の一例について、図３に示すフローチャートを用いて説明する。
【００５１】
（ステップＳ１０１）ＩＤカードの作成を申請する被撮影者１０の識別情報が入力部１０１を介して入力される。
【００５２】
（ステップＳ１０２）オペレータの操作により、撮像部１０２が、被撮影者１０の顔を含む上半身の少なくとも一部を撮影（バストショット）する。撮像部１０２は、撮影した画像データを検出部１０３、表示部１０４、及び制御部１１０へ出力する。
【００５３】
（ステップＳ１０３）検出部１０３が、撮像部１０２から受け取った画像データから、被撮影者１０の顔画像中の目の位置（座標）を検出する。また、検出部１０３は、被撮影者１０の顔画像中の目を含む所定サイズの矩形領域を設定し、この矩形領域の頂点の位置（座標）を検出する。そして、検出部１０３は、目の位置及び矩形領域の頂点位置を表示部１０４に通知する。
【００５４】
（ステップＳ１０４）表示部１０４が、撮像部１０２から受け取った画像データをディスプレイ上に表示する。また、表示部１０４は、検出部１０３から通知された頂点位置で囲まれる矩形領域を拡大表示すると共に、検出部１０３から通知された被撮影者１０の目の位置にマーカを重ねて表示する。
【００５５】
（ステップＳ１０５）オペレータが、ステップＳ１０４で拡大表示された矩形領域から、被撮影者１０の開眼状態を確認する。被撮影者１０の目が開いている場合はステップＳ１０６へ進み、目を瞑っていたり半開きだったりした場合はステップＳ１０２に戻り、再度撮影を行う。被撮影者１０の目の周辺領域が拡大表示されているため、被撮影者１０の開眼状態を容易に視認することができる。
【００５６】
（ステップＳ１０６）オペレータにより、ステップＳ１０４で表示されたマーカの位置が、被撮影者１０の目の位置に正しく合っているか否かが確認される。合っている場合はステップＳ１０８に進み、合っていない場合はステップＳ１０７に進む。
【００５７】
（ステップＳ１０７）オペレータが、表示部１０４により表示されているマーカの位置と被撮影者１０の目の位置とが一致するように、指示受付部１０５を介して、マーカの位置を修正する。
【００５８】
例えば、表示部１０４及び指示受付部１０５がタッチパネルで構成されている場合、オペレータは、マーカに触れて移動させることで、マーカの位置を修正できる。
【００５９】
（ステップＳ１０８）表示部１０４が、画像データにおけるマーカの位置を算出し、制御部１１０に通知する。制御部１１０は、表示部１０４から、被撮影者１０の目の位置の正確な情報を取得できる。
【００６０】
（ステップＳ１０９）算出部１２１が、制御部１１０から画像データ及び被撮影者１０の目の位置の情報を受け取り、これらを用いて、被撮影者１０の顔の特徴量を算出する。
【００６１】
（ステップＳ１１０）抽出部１２２が、制御部１１０からステップＳ１０１で入力された被撮影者１０の識別情報を受け取り、記憶部１３０を検索して、この識別情報と同じ識別情報を探し出す。記憶部１３０は、過去にＩＤカードを作成した複数の人間の顔の特徴量と識別情報とを組み合わせて記憶している。
【００６２】
（ステップＳ１１１）記憶部１３０にステップＳ１０１で入力された被撮影者１０の識別情報と同じ識別情報が記憶されている場合はステップＳ１１２へ進み、記憶されていない場合はステップＳ１１５へ進む。
【００６３】
（ステップＳ１１２）抽出部１２２が、被撮影者１０の識別情報と同じ識別情報と組み合わされている特徴量を記憶部１３０から抽出する。
【００６４】
（ステップＳ１１３）判定部１２３が、ステップＳ１０９で算出された特徴量と、ステップＳ１１２で記憶部１３０から抽出された特徴量との類似度を算出する。
【００６５】
（ステップＳ１１４）ステップＳ１１３で算出された類似度が所定の閾値以上である場合、ステップＳ１０９で算出された特徴量と、ステップＳ１１２で記憶部１３０から抽出された特徴量とが一致すると判定される。すなわち、被撮影者１０が、ステップＳ１０１で入力された識別情報に対応する過去にＩＤカードの作成を行った人物と一致する（本人である）と判定され、ステップＳ１１５へ進む。
【００６６】
一方、ステップＳ１１３で算出された類似度が所定の閾値未満である場合、被撮影者１０は、ステップＳ１０１で入力された識別情報に対応する過去にＩＤカードの作成を行った人物とは一致しないと判定される。この場合、被撮影者１０が他人になりすましてＩＤカードの作成を行おうとしていることが考えられるため、ＩＤカードの作成を行わずに、ＩＤカード作成処理を終了する。
【００６７】
（ステップＳ１１５）管理部１２５が、作成部１４０に対して、ＩＤカードの作成許可を与える。
【００６８】
（ステップＳ１１６）作成部１４０が、制御部１１０から受け取った画像データを用いて、被撮影者１０の顔画像が印刷されたＩＤカードを作成する。
【００６９】
（ステップＳ１１７）更新部１２４が、被撮影者１０の識別情報と、ステップＳ１１３で算出された類似度とを組み合わせて記憶部１３０に格納（上書き又は追加書き込み）し、記憶部１３０の記憶データを更新する。
【００７０】
このように、本実施形態に係るＩＤカード作成装置１によれば、被撮影者１０の目の周辺領域が表示部１０４により拡大表示されるため、オペレータは、被撮影者１０の顔画像の開眼状態を目視確認しやすく、ＩＤカードに目つぶり画像が印刷されることを防止することができる。
【００７１】
さらに、本実施形態に係るＩＤカード作成装置１によれば、検出部１０３が検出した被撮影者１０の目の位置を、表示部１０４により拡大表示された目の周辺領域の画像中にマーカで表示し、指示受付部１０５を介して、このマーカの位置の修正指示を、オペレータから受け付けることができる。従って、ＩＤカード作成装置１は、被撮影者１０の目の位置について正確な情報を取得することができる。このことにより、被撮影者１０の目が小さかったり、被撮影者１０が眼帯をしていたりする場合など、検出部１０３が目の位置を検出することが困難な場合であっても、オペレータによるマーカ位置の修正指示を受け付けることで、被撮影者１０の目の位置について正確な情報を取得することができる。
【００７２】
目の位置は、算出部１２１による顔の特徴量の算出の際に重要なパラメータとなるため、目の位置について正確な情報を取得することで、顔認証に適した特徴量を算出でき、顔認証精度の向上を図ることができる。また、算出部１２１により算出された特徴量と、記憶部１３０に記憶されている特徴量とを比較することで、被撮影者１０が、過去にＩＤカードを作成した本人であるか否かを精度良く判定することができる。
【００７３】
このように、本実施形態に係るＩＤカード作成装置１によれば、被撮影者１０の顔画像の開眼状態をオペレータが目視確認しやすく、目つぶり画像が印刷されたＩＤカードを作成することを防止すると共に、顔画像における目の位置の正確な情報を取得できる。
【００７４】
さらに、ＩＤカード作成時の本人確認の精度が向上し、他人のなりすましによるＩＤカードの不正な発行を効果的に防止することができる。
【００７５】
上記実施形態では、図２に示すように、表示部１０４は、被撮影者１０の顔画像（バストショット画像）２０１と、被撮影者１０の目の周辺領域の拡大画像２０２とを同時に表示する例について説明したが、顔画像２０１と拡大画像２０２との表示を切り替えるようにしてもよい。このことにより、表示部１０４のディスプレイ全体に、被撮影者１０の目の周辺領域の拡大画像２０２を表示することができ、被撮影者１０の開眼状態をさらに視認しやすくなる。
【００７６】
マーカ２０３は、一定時間（例えば２秒）毎に表示／非表示が切り替わるようにしてもよいし、指示受付部１０５を介してマーカ２０３の表示／非表示の切り替え指示を行えるようにしてもよい。マーカ２０３を非表示にすることで、被撮影者１０の開眼状態をさらに視認しやすくなる。
【００７７】
また、上記実施形態では、検出部１０３が、被撮影者１０の目を含む所定サイズの矩形領域を設定し、この矩形領域の頂点位置を表示部１０４に通知するとしていたが、検出部１０３がこの矩形領域に対応する画像データそのものを表示部１０４に出力するようにしてもよい。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７９】
１  ＩＤカード作成装置
１０  被撮影者
１０１  入力部
１０２  撮像部
１０３  検出部
１０４  表示部
１０５  指示受付部
１１０  制御部
１２１  算出部
１２２  抽出部
１２３  判定部
１２４  更新部
１２５  管理部
１３０  記憶部
１４０  作成部
２０１  顔画像
２０２  拡大画像
２０３  マーカ
【図１】
0005549447.tif 000002
【図２】
0005549447.tif 000003
【図３】
0005549447.tif 000004